(57)【要約】【課題】簡易な操作で容易に音声データの編集を行い得る音声データ編集装置を実現する。【解決手段】編集対象の音声データを複数のトラックに分割する音声データ編集装置において、トラックの分割点を示す分割点表示子を、所定の分割点表示子表示領域における当該分割点の時刻に応じた位置に表示する分割点表示子表示手段と、表示された分割点表示子に対する所定の指定操作に応じて、当該指定された分割点表示子及びその前後の所定範囲の分割点表示子表示領域を拡大表示する表示領域拡大表示手段とを設けた。また分割点表示子表示手段は、分割点表示子表示領域に対する所定の位置指定操作に応じて、当該位置指定操作が加えられた位置に新たな分割点表示子を表示するようにした。そして分割点表示子表示手段は、新たな分割点表示子と既存の分割点表示子との間隔が所定の間隔下限値未満の場合、新たな分割点表示子及び既存の分割点表示子の一方を消去するようにした。【選択図】        図１４
2004318963.tif 000002
【特許請求の範囲】
【請求項１】
編集対象の音声データを複数のトラックに分割する音声データ編集装置において、
上記トラックの分割点を示す分割点表示子を、所定の分割点表示子表示領域における当該分割点の時刻に応じた位置に表示する分割点表示子表示手段と、
表示された上記分割点表示子に対する所定の指定操作に応じて、当該指定された分割点表示子及びその前後の所定範囲の上記分割点表示子表示領域を拡大表示する表示領域拡大表示手段とを具えることを特徴とする音声データ編集装置。
【請求項２】
上記分割点表示子表示手段は、上記分割点表示子表示領域に対する所定の位置指定操作に応じて、当該位置指定操作が加えられた位置に新たな上記分割点表示子を表示することを特徴とする請求項１に記載の音声データ編集装置。
【請求項３】
上記分割点表示子表示手段は、新たな上記分割点表示子と既存の上記分割点表示子との間隔が所定の間隔下限値未満の場合、新たな上記分割点表示子及び既存の上記分割点表示子の一方を消去することを特徴とする請求項２に記載の音声データ編集装置。
【請求項４】
上記表示領域拡大表示手段は、表示中の上記分割点表示子に対して時間的に次又は前の上記分割点表示子を指定する表示子指定操作に応じて、当該時間的に次又は前の上記分割点表示子及びその前後の所定範囲の上記分割点表示子表示領域を拡大表示することを特徴とする請求項１に記載の音声データ編集装置。
【請求項５】
編集対象の音声データを複数のトラックに分割する音声データ編集方法において、
上記トラックの分割点を示す分割点表示子を、所定の分割点表示子表示領域における当該分割点の時刻に応じた位置に表示する分割点表示子表示ステップと、表示された上記分割点表示子に対する所定の指定操作に応じて、当該指定された分割点表示子及びその前後の所定範囲の上記分割点表示子表示領域を拡大表示する表示領域拡大表示ステップとを具えることを特徴とする音声データ編集方法。
【請求項６】
上記分割点表示子表示領域に対する所定の位置指定操作に応じて、当該位置指定操作が加えられた位置に新たな上記分割点表示子を表示する分割点表示子追加表示ステップを具えることを特徴とする請求項５に記載の音声データ編集方法。
【請求項７】
新たな上記分割点表示子と既存の上記分割点表示子との間隔が所定の間隔下限値未満の場合、新たな上記分割点表示子及び既存の上記分割点表示子の一方を消去する近接表示子消去ステップを具えることを特徴とする請求項６に記載の音声データ編集方法。
【請求項８】
表示中の上記分割点表示子に対して時間的に次又は前の上記分割点表示子を指定する表示子指定操作に応じて、当該時間的に次又は前の上記分割点表示子及びその前後の所定範囲の上記分割点表示子表示領域を拡大表示するステップを具えることを特徴とする請求項５に記載の音声データ編集方法。
【請求項９】
コンピュータに、
編集対象の音声データを複数のトラックに分割する分割点を示す分割点表示子を、所定の分割点表示子表示領域における当該分割点の時刻に応じた位置に表示する分割点表示子表示ステップと、
表示された上記分割点表示子に対する所定の指定操作に応じて、当該指定された分割点表示子及びその前後の所定範囲の上記分割点表示子表示領域を拡大表示する表示領域拡大表示ステップと
を実行させることを特徴とする音声データ編集管理プログラム。
【発明の詳細な説明】
【０００１】
【発明の属する技術分野】
本発明は音声データ編集装置に関し、例えばパーソナルコンピュータを用いて音楽データを複数のトラックに分割する場合に適用して好適なものである。
【０００２】
【従来の技術】
従来、パーソナルコンピュータにおいては、アナログオーディオ機器から供給される録音対象のアナログ音声信号を、外付けのオーディオデバイスもしくは内蔵されたサウンドカードを介してディジタル変換することにより音声データを生成し、当該生成した音声データを内部のハードディスク等に記録するようになされたものがある（例えば、非特許文献１参照）。
【０００３】
【非特許文献１】
ｈｔｔｐ：／／ｗｗｗ．Ｊａｐａｎ．ｓｔｅｉｎｂｅｒｇ．ｎｅｔ／ｐｒｏｄｕｃｔｓ／ｃｌｅａｎ４／ｉｍｇ／ｅｘａｍｐｌｅ．ｊｐｇ
【０００４】
【発明が解決しようとする課題】
かかる構成のパーソナルコンピュータにおいては、記録した音声データを、ユーザが例えば曲単位等の任意のトラックに分割する編集操作を行い得るようになされている。
【０００５】
この場合パーソナルコンピュータは、例えば音声データの波形を所定の録音編集画面上に表示する。ユーザは記録した音声データを再生しながら、録音編集画面上で当該音声データの波形の任意の位置をマウス等で指定することにより、トラックの分割点をパーソナルコンピュータに入力する。そしてユーザは録音編集画面上で、入力した分割点の位置を微調整したり、追加あるいは削除等の操作を行い得るようになされている。
【０００６】
ところがかかる構成のパーソナルコンピュータにおいては、入力された分割点が多数に渡る場合、分割点の位置を微調整するためには、表示された音声データの波形を手動でスクロールさせて所望の分割点を表示させた後、波形の表示倍率を手動で変更して当該分割点の前後の波形の拡大表示する必要があり、操作が煩雑であるという問題があった。
【０００７】
また、かかる構成のパーソナルコンピュータにおいては、ユーザの誤操作等によって近接した位置に２つの分割点が指定されてしまうことがあり、この場合無意味な短いトラックが生成されてしまうという問題があった。
【０００８】
本発明は以上の点を考慮してなされたもので、簡易な操作で容易に音声データの編集を行い得る音声データ編集装置を提案しようとするものである。
【０００９】
【課題を解決するための手段】
かかる課題を解決するため本発明においては、編集対象の音声データを複数のトラックに分割する音声データ編集装置において、トラックの分割点を示す分割点表示子を、所定の分割点表示子表示領域における当該分割点の時刻に応じた位置に表示する分割点表示子表示手段と、表示された分割点表示子に対する所定の指定操作に応じて、当該指定された分割点表示子及びその前後の所定範囲の分割点表示子表示領域を拡大表示する表示領域拡大表示手段とを設けた。
【００１０】
また分割点表示子表示手段は、分割点表示子表示領域に対する所定の位置指定操作に応じて、当該位置指定操作が加えられた位置に新たな分割点表示子を表示するようにした。そして分割点表示子表示手段は、新たな分割点表示子と既存の分割点表示子との間隔が所定の間隔下限値未満の場合、新たな分割点表示子及び既存の分割点表示子の一方を消去するようにした。
【００１１】
さらに表示領域拡大表示手段は、表示中の分割点表示子に対して時間的に次又は前の上記分割点表示子を指定する表示子指定操作に応じて、当該時間的に次又は前の分割点表示子及びその前後の所定範囲の分割点表示子表示領域を拡大表示するようにした。
【００１２】
分割点表示子に対する指定操作に応じて、指定された分割点表示子及びその前後の所定範囲の分割点表示子表示領域を拡大表示することにより、簡易な操作で、トラックの分割位置をより精密かつ容易に微調整することができる。
【００１３】
また、新たな分割点表示子と既存の分割点表示子との間隔が所定の間隔下限値未満の場合、新たな分割点表示子及び既存の分割点表示子の一方を消去するようにしたことにより、極端に近接した新たな分割点表示子が付加されることを防止し、無意味な短いトラックを分割生成してしまうことを防止することができる。
【００１４】
さらに、表示子指定操作に応じて時間的に次又は前の分割点表示子及びその前後の所定範囲の分割点表示子表示領域を拡大表示するようにしたことにより、簡易な操作で、一連の分割点表示子を順次拡大表示して容易に微調整することができる。
【００１５】
【発明の実施の形態】
以下図面について、本発明の一実施の形態を詳述する。
【００１６】
（１）パーソナルコンピュータの全体構成
図１において、１は全体として本発明を適用した音声データ編集装置としてのパーソナルコンピュータを示し、各種情報処理を実行するパーソナルコンピュータ本体（以下、これをパソコン本体と呼ぶ）２に対して、モニタ３、キーボード４及びマウス５が接続されている。
【００１７】
またパソコン本体２には、マイクロホン６、ライン入力ケーブル７及びスピーカ８が接続されている。パソコン本体２は、マイクロホン６を介して集音したアナログ音声信号や、テープレコーダ等の外部のアナログオーディオ機器からライン入力ケーブル７を介して入力したアナログ音声信号をディジタル変換して音声データを生成（すなわち録音）する。そしてパソコン本体２はユーザ操作に応じて、録音した音声データに対し適宜分割や結合等の各種編集処理を施した後、当該音声データを音声データファイルとして、内蔵するハードディスクドライブやＣＤ−ＲＷ（Ｃｏｍｐａｃｔ  Ｄｉｓｋ−ＲｅＷｒｉｔａｂｌｅ  ）ドライブに挿入されたＣＤ−ＲＷディスク等の記録媒体に出力（すなわち記録）するとともに、記録した音声データファイルをスピーカ８を介して出力するようになされている。
【００１８】
さらにパソコン本体２には、高精度なディジタル変換処理を行うＵＳＢ（Ｕｎｉｖｅｒｓａｌ  Ｓｅｒｉａｌ  Ｂｕｓ）オーディオデバイス９がＵＳＢ接続されており、外部のアナログオーディオ機器から供給されるアナログ音声信号を当該ＵＳＢオーディオデバイス９でディジタル変換してパソコン本体２に入力することにより、より高い品質で音声データファイルを録音したり、当該録音した音声データファイルをＵＳＢオーディオデバイス９でアナログ変換することにより、当該音声データファイルをより高い品質でアナログ音声信号に復元し得るようになされている。
【００１９】
これに加えてパソコン本体２には、モデム１０がＵＳＢ接続されており、インターネット上の他のパーソナルコンピュータや各種サーバ等の情報処理装置との間でデータ通信を行い得るようになされている。
【００２０】
次に、パソコン本体２の回路構成を図２を用いて詳細に説明する。パソコン本体２においては、当該パソコン本体２を統括制御するＣＰＵ（Ｃｅｎｔｒａｌ  Ｐｒｏｃｅｓｓｉｎｇ  Ｕｎｉｔ  ）１１に対し、各種プログラムを実行するワークエリアとしてのメモリ１２、モニタ３に対する表示信号を生成するビデオインターフェース１３及びＰＣＩ（Ｐｅｒｉｐｈｅｒａｌ  Ｃｏｍｐｏｎｅｎｔ  Ｉｎｔｅｒｃｏｎｎｅｃｔ  ）ブリッジ１４が、ＣＰＵバス１５を介して接続されている。
【００２１】
またＰＣＩブリッジ１４には、ＩＤＥ（Ｉｎｔｅｇｒａｔｅｄ  Ｄｒｉｖｅ  Ｅｌｅｃｔｒｏｎｉｃｓ）インターフェース１６、オーディオインターフェース１７及びＵＳＢインターフェース１８がＰＣＩバス１５を介して接続されている。
【００２２】
ＩＤＥインターフェース１６には、ＣＰＵ１１によって実行されるオペレーティングシステムや録音編集管理プログラム等の各種アプリケーションプログラムを格納したハードディスクドライブ１９と、ＣＤ−ＲＷドライブ２０とが接続されており、ＩＤＥインターフェース１６はハードディスクドライブ１９及びＣＤ−ＲＷドライブ２０に対するアクセス制御を行う。
【００２３】
オーディオインターフェース１７には、マイクロホン６、ライン入力ケーブル７及びスピーカ８が接続されている。オーディオインターフェース１７は、マイクロホン６及びライン入力ケーブル７から入力されるアナログ音声信号をディジタル変換して音声データを生成し、これをＰＣＩバス１５に送出するとともに、当該ＰＣＩバス１５から供給される音声データをアナログ変換してアナログ音声信号を生成し、スピーカ８を介して出力する。
【００２４】
ＵＳＢインターフェース１８には、キーボード４、マウス５、ＵＳＢオーディオデバイス９及びモデム１０が接続されている。ＵＳＢインターフェース１８は、ユーザ操作に応じてキーボード４及びマウス５から供給される操作信号をＰＣＩバス１５に送出するとともに、ＵＳＢオーディオデバイス９との間のディジタル音声データの送受、及びモデム１０との間の送受信データの送受を管理する。
【００２５】
そしてＣＰＵ１１は、パソコン本体２の電源投入に応じてハードディスクドライブ１９からオペレーティングシステムを読み出し、メモリ１２に展開して実行する。そしてＣＰＵ１１はオペレーティングシステムの実行環境下において、ユーザによるキーボード４及びマウス５の操作に応じてハードディスクドライブ１９から各種アプリケーションプログラムを読み出して実行することにより、各種機能を実現するようになされている。
【００２６】
（２）録音編集管理プログラム
上述したようにこのパーソナルコンピュータ１においては、ハードディスクドライブ１９に格納された録音編集管理プログラムをＣＰＵ１１が読み出して実行することにより、音声データの録音、分割や結合、及びハードディスクドライブ１９やＣＤ−ＲＷディスクに対する音声データファイルの出力といった録音編集処理を実行するようになされている。
【００２７】
録音編集管理プログラムの構成を図３に示す。ＧＵＩ部３０は、録音編集管理プログラムの各種操作画面をモニタ３に表示するとともに、ユーザによるキーボード４及びマウス５の入力操作に応じた操作命令を生成し、録音再生制御部３１及びプロジェクト管理部３２に送出する。
【００２８】
録音再生制御部３１は、ＧＵＩ部３０から送出された操作命令に応じて音声データの録音及び再生を制御する。すなわち録音再生制御部３１は、ユーザの操作に応じてＧＵＩ部３０から録音命令が供給されると、オーディオデバイス３３（ＵＳＢオーディオデバイス９及びオーディオインターフェース１７、並びにこれらにアクセスするためのソフトウェアモジュール）から供給される音声データを受け取って音声データ管理部３４に送出する。
【００２９】
音声データ管理部３４は、ハードディスクドライブ１９に対する音声データファイルＭｆの読み書き及び曲リスト記憶部３６に対する曲情報の読み書きを管理する。すなわち音声データ管理部３４は、録音再生制御部３１から供給される音声データを音声データファイルＭｆとしてハードディスクドライブ１９に保存する。このとき音声データ管理部３４は当該音声データを複写して曲間検出部３７に送出する。
【００３０】
ノイズ除去処理部３８は曲間検出部３７から音声データを取得し、音声データに対してノイズ除去処理を施すことにより本来無音部分である箇所に含まれているノイズを除去して当該無音部分を明確にした後、曲間検出部３７に返送する。曲間検出部３７は、このノイズが除去された音声データに対し、無音部分に基づいて曲間を自動検出し、当該曲間位置を示す分割点情報をプロジェクト管理部３２に送出する。
【００３１】
プロジェクト管理部３２は、録音編集管理プログラムが取り扱うデータの集合体であるプロジェクトＰＪを管理する。このプロジェクトＰＪは、音声データファイルＭｆと、当該音声データファイルＭｆについての各種情報を記憶したプロジェクトファイルＰｆと、曲リスト記憶部３６から読み出した各曲の演奏時間やタイトル等でなる曲情報とで構成される。
【００３２】
プロジェクト管理部３２は、曲間検出部３７から供給された分割点情報に基づいて、分割点で分割された曲（すなわちトラック）それぞれの開始時間及び終了時間をプロジェクトファイルＰｆに記入する。
【００３３】
図４にプロジェクトファイルＰｆの記述例を示す。プロジェクトファイルＰｆはＸＭＬ（ｅＸｔｅｎｓｉｂｌｅ  Ｍａｒｋｕｐ  Ｌａｎｇｕａｇｅ）言語を用いて記述されており、各トラックの開始時間及び終了時間（ｔｒａｃｋ  ｓｔａｒｔ  及びｅｎｄ  ）、各トラックのタイトルやアーティスト名（ｎａｍｅ、ａｒｔｉｓｔ）、当該プロジェクトファイルＰｆの参照元音声データファイルのＭｆのファイル名（ｓｏｕｎｄｆｉｌｅ  ｓｒｃ  ）等が記入される。このようなプロジェクトファイルＰｆで用いられるタグの例を図５に示す。
【００３４】
また録音再生制御部３１は、ユーザの操作に応じてＧＵＩ部３０から再生命令が供給されると、これに応じて音声データ管理部３４を制御し、音声データファイルＭｆを読み出してオーディオデバイス３３に出力する。
【００３５】
次に、上述した録音編集管理プログラムの起動から音声データの記録、編集、記録媒体に対する出力までに至る一連の処理を、図６に示すフローチャートを用いて説明する。
【００３６】
パーソナルコンピュータ１のＣＰＵ１１は、録音編集管理処理手順ＲＴ１の開始ステップから入ってステップＳＰ１に移り、図７に示すオープニング画面５０をモニタ３に表示する。
【００３７】
このオープニング画面５０の中央には、録音編集管理プログラムの一連の処理を開始させるための開始ボタン５１が表示されているとともに、その右側にはオンラインユーザーガイドを表示させるためのユーザーガイドボタン５２が表示されている。ＣＰＵ１１は、次のステップＳＰ２においてユーザによる開始ボタン５１のクリックを待ち受け、当該開始ボタン５１がクリックされたことを確認すると次のステップＳＰ３に移る。
【００３８】
ステップＳＰ３においてＣＰＵ１１は、図８に示す入力選択画面５４をモニタ３に表示する。この入力選択画面５４の中央には、ライン入力ケーブル７をアナログ音声信号の入力端子として選択するためのライン入力選択ボタン５４Ａ、マイクロホン６をアナログ音声信号の入力機器として選択するためのマイク入力選択ボタン５４Ｂ、及びＵＳＢオーディオデバイス９を入力機器として選択するためのＵＳＢオーディオデバイス選択ボタン５４Ｃの、３つの入力選択ボタン５４が表示されているとともに、その右側には、選択した入力端子又は機器を確定するための「進む」ボタン５５が表示されている。
【００３９】
ＣＰＵ１１は、次のステップＳＰ４においてユーザによる入力選択操作を待ち受け、入力選択ボタン５４Ａ〜５４Ｃのいずれかが選択された後「進む」ボタン５５がクリックされたことを確認すると、次のステップＳＰ５に移る。
【００４０】
ステップＳＰ５においてＣＰＵ１１は、図９に示す録音編集画面６０をモニタ３に表示する。この録音編集画面６０上で、ユーザは様々な録音編集操作を行うことができるようになされている。
【００４１】
録音編集画面６０の中央には、入力選択画面５４で選択された入力端子又は機器からの録音を開始するための録音開始ボタン６１が表示されている。また、録音編集画面６０の下半分を占めるパネルエリア６２には、曲間の自動検出結果に応じて曲間の位置に自動で分割点マーク（後述する）を付加する自動マーキング機能に対して有効（すなわち実行）又は無効（すなわち非実行）を選択するための自動マーキング設定パネル６３が表示されており、自動マーキングチェックボックス６４をチェックすることにより自動マーキング機能が有効となる。
【００４２】
ステップＳＰ６においてＣＰＵ１１は、ユーザによる録音開始ボタン６１のクリックを待ち受け、当該録音開始ボタン６１がクリックされたことを確認すると、次のステップＳＰ７に移る。
【００４３】
ステップＳＰ７において、分割点表示子表示手段としてのＣＰＵ１１は自動マーキング設定パネル６３を消去し、これに代えて図１０に示すようなトラックパネル７０を録音編集画面６０のパネルエリア６２に表示した後、録音を開始する。
【００４４】
トラックパネル７０の上部には、録音時間の経過に対応して録音の開始から終了まで右方向に伸びていく、棒状の録音進捗バー７１が表示される。この録音進捗バー７１は、録音中においては赤色で表示され、録音が終了すると水色で表示される。
【００４５】
録音進捗バー７１の下方には、録音した音声データを複数のトラックに分割するための分割点マーク７２を表示すべき、分割点マーク表示領域７３が設けられている。この分割点マーク７２は、自動マーキング機能が有効状態にある場合、録音編集管理プログラムによって曲間の無音部分に対して自動的に付加される。
また分割点マーク７２は録音終了後にユーザが手動で付加することもできる。
【００４６】
分割点マーク表示領域７３の下方には、各トラックの録音時間および順序を視覚的に表すセグメント７４を表示するためのセグメント表示領域７５が設けられている。また、セグメント表示領域７５の左側には、各トラックのトラック番号、タイトル及び録音時間を文字で表示するためのトラックリスト表示領域７６が設けられている。
【００４７】
また録音進捗バー７１の下方には、当該録音進捗バー７１、分割点マーク表示領域７３及びセグメント表示領域７５の時間軸を目盛状に表示した時間軸目盛７７が設けられているとともに、当該時間軸目盛７７の右上方には、時間軸目盛７７のタイムスケールを拡大及び縮小するためのタイムスケール拡大ボタン７８Ａ及びタイムスケール縮小ボタン７８Ｂが設けられている。
【００４８】
図１１（Ａ）に示すように、セグメント７４は録音時において録音進捗バー７１に同期して右方向に伸びていく。
【００４９】
そして、自動マーキング機能が有効状態にある場合、図１１（Ｂ）に示すように分割点マーク７２が無音部分に応じて自動付加されてトラックが分割されると、最初のトラックを表すセグメント７４Ａの伸びが分割点マーク７２の位置で停止するとともに、当該セグメント７４Ａの一段下に、当該分割点マーク７２を起点として、次のトラックを表すセグメント７４Ｂが表示される。この新たなセグメント７４Ｂも、録音進捗バー７１に同期して右方向に伸びていく。
【００５０】
このように自動マーキング機能が有効状態にある場合、セグメント表示領域７５には録音の経過に応じて、自動分割されたトラックそれぞれを示すセグメント７４Ａ、７４Ｂ、…が順次階段状に表示されていく。また、自動マーキング機能が無効状態にある場合には、セグメント７４は自動分割されることなく、録音進捗バー７１に同期して伸びていく。
【００５１】
この録音状態において録音編集画面６０（図９）には、録音開始ボタン６１の代わりに録音終了ボタン（図示せず）が表示される。そして、この録音終了ボタンがクリックされたことを確認すると、ＣＰＵ１１は録音を停止する。
【００５２】
この録音停止状態においてユーザは、トラックパネル７０（図１０）上で分割点マーク７２を移動することによりトラックの分割位置を変更したり、新たな分割点マーク７２を付加することによりトラックを再分割したり、分割点マーク７２を消去することにより連続した２つのトラックを結合する等の編集処理を行うことができる。
【００５３】
ここで、トラックパネル７０に分割点マーク７２が表示された状態においてはトラックの分割位置は確定されておらず、図１１（Ｃ）に示すように、各セグメント７４の端部は、その前後のセグメント７４とそれぞれつながった状態で表示される。この状態のセグメントを未分割セグメントと呼ぶ。
【００５４】
そして、録音編集画面６０の「次に進む」ボタン６５（図９）がクリックされたことを確認すると、ＣＰＵ１１はトラックの分割位置を確定する。すなわち図１２に示すように、各セグメント７４の端部が前後のセグメント７４とつながらない状態で表示される。また、録音進捗バー７１及び分割点マーク７２は消去される。
【００５５】
この状態においてユーザは各セグメント７４を上下（矢印方向）に移動させることにより、各トラックの順序を変更することができる。すなわち、あるセグメント７４を上に一段移動させると、当該セグメント７４が示すトラックの順序が一つ繰り上がり、あるセグメント７４を下に一段移動させると、当該セグメント７４が示すトラックの順序が一つ繰り下がる。
【００５６】
このようにしてトラックの順序が変更された後、録音編集画面６０の出力ボタン６６（図９）がクリックされたことを確認すると（図６のステップＳＰ８）、ＣＰＵ１１は編集処理結果を確定して次のステップＳＰ９に移る。
【００５７】
ステップＳＰ９においてＣＰＵ１１は、図１３に示す出力選択画面８０をモニタ３に表示する。この出力先選択画面８０の中央には、編集したトラックの出力先としてＣＤ−ＲＷドライブ２０を選択するためのＣＤ−ＲＷドライブ選択ボタン８１Ａと、トラックの出力先としてハードディスクドライブ１９を選択するためのハードディスクドライブ選択ボタン８１Ｂとの２つの出力先選択ボタン８１が表示されているとともに、その右側には、選択した出力先を確定して出力を開始するための開始ボタン８２が表示されている。
【００５８】
ＣＰＵ１１は、次のステップＳＰ１０においてユーザによる出力先選択操作を待ち受け、出力先選択ボタン８２Ａ又は８２Ｂのいずれかが選択された後、開始ボタン８２がクリックされたことを確認すると、次のステップＳＰ１１に移る。
【００５９】
ステップＳＰ１１においてＣＰＵ１１は、選択された出力先に対してトラックに対応した音声データファイルＭｆを出力し、次のステップＳＰ１２で録音編集管理処理を終了する。
【００６０】
なお、ＣＰＵ１１は、トラックの出力先としてハードディスクドライブ１９が選択された場合は、音声データファイルＭｆをＷｉｎｄｏｗｓ（Ｒ）標準のオーディオの録音／再生機能及びそのためのデータフォーマットであるＷＡＶＥ形式ファイルに変換して出力し、トラックの出力先としてＣＤ−ＲＷドライブ２０が選択された場合は、音声データファイルＭｆをＣＤ−ＲあるいはＣＤ−ＲＷに録音するためのデータフォーマットに変換した後出力するようになされている。
【００６１】
（３）分割点詳細編集画面
かかる構成に加えて録音編集管理プログラムにおいては、トラックの分割位置が確定されていない状態、すなわちトラックパネル７０の分割点マーク表示領域７３に分割点マーク７２が表示されている状態（図１０）において、当該分割点マーク７２がダブルクリックされると、図１４に示す分割点詳細編集画面９０をトラックパネル７０にオーバーラップして表示する。
【００６２】
この分割点詳細編集画面９０は、ダブルクリックした分割点マーク７２の前後を時間的に拡大表示することにより、ユーザがトラックの分割位置を詳細に編集し得るようにしたものである。
【００６３】
すなわち分割点詳細編集画面９０の中央部には、分割点マーク７２を表示する分割点マーク拡大表示領域９１が設けられているとともに、当該分割点マーク拡大表示領域９１の下方には、分割点マーク７２の前後のセグメント７４を拡大して表示するセグメント拡大表示領域９２が設けられている。このセグメント拡大表示領域９２は、トラックパネル７０のセグメント表示領域７５（図１０）とは異なり、複数のセグメント７４が同一の段で連続的に表示される。
【００６４】
また分割点マーク拡大表示領域９１の上方には、当該分割点マーク拡大表示領域９１及びセグメント拡大表示領域９２の時間軸を目盛状に表示した時間軸目盛９３が設けられているとともに、当該時間軸目盛９３の右上方には、時間軸目盛９３のタイムスケールを拡大及び縮小するためのタイムスケール拡大ボタン９４Ａ及びタイムスケール縮小ボタン９４Ｂが設けられている。
【００６５】
さらにセグメント拡大表示領域９２の下方には、録音した音声データを分割点マーク７２のタイミングから１０秒間だけリピート再生するための「マークから再生」ボタン９５、分割点マーク７２の前後５秒間の音声データをリピート再生するための「マーク前後を再生」ボタン９６、音声データの再生を停止するための停止ボタン９７が設けられている。
【００６６】
ユーザは、この分割点詳細編集画面９０上で「マークから再生」ボタン９５又は「マーク前後を再生」ボタン９６をクリックすることにより音声データを再生しながら、分割点マーク拡大表示領域９１に表示された分割点マーク７２をドラッグアンドドロップして左右に移動させることにより、トラックの分割点を容易に微調整することができる。
【００６７】
また分割点詳細編集画面９０においては、分割点マーク拡大表示領域９１内の任意の場所をクリックすることにより、新たな分割点マーク７２を付加することができる。
【００６８】
このときＣＰＵ１１は、図１５（Ａ）に示すように、新たな分割点マーク７２Ａと、その最も近傍にある既存の分割点マーク７２Ｂとの時間間隔ΔＴを取得し、当該時間間隔Δｔが所定の分割点間隔下限値Ｔｍｉｍ（例えば１秒）未満の場合、図１５（Ｂ）に示すように、２つの分割点マーク７２Ａ及び７２Ｂのうちの時間的に後の分割点マークを消去して（この場合既存の分割点マーク７２Ｂ）、時間的に前の分割点マーク（この場合新たな分割点マーク７２Ａ）に統合する。これにより分割点詳細編集画面９０においては、極端に近接した分割点マーク７２が付加されることを防止する。
【００６９】
さらに分割点詳細編集画面９０においては、セグメント拡大表示領域９２の右下方に、現在表示している分割点マーク７２の次の（すなわち時間的に一つ後の）分割点マーク７２にジャンプして、当該次の分割点マーク７２前後のセグメント７４を拡大表示するための「次のマークへ移動」ボタン９８が設けられているとともに、セグメント拡大表示領域９２の左下方には、現在表示している分割点マーク７２の前の（すなわち時間的に一つ前の）分割点マーク７２にジャンプして、当該前の分割点マーク７２前後のセグメント７４を拡大表示するための「前のマークへ移動」ボタン９９が設けられている。
【００７０】
これにより分割点詳細編集画面９０においては、「次のマークへ移動」ボタン９８及び「前のマークへ移動」ボタン９９をクリックするだけで、一連の分割点マーク７２を順次表示していくことができる。
【００７１】
また、分割点詳細編集画面９０の下端には、当該分割点詳細編集画面９０の表示を終了させるための「ＯＫ」ボタン１００が設けられている。
【００７２】
次に、上述した分割点詳細編集画面９０を表示する場合の処理手順を、図１６に示すフローチャートを用いて詳細に説明する。パーソナルコンピュータ１のＣＰＵ１１は、分割点詳細編集画面表示処理手順ＲＴ２の開始ステップから入ってステップＳＰ２１に移る。
【００７３】
ステップＳＰ２１においてＣＰＵ１１は、トラックパネル７０の分割点マーク表示領域７３に表示されている分割点マーク７２に対するダブルクリックを待ち受け、当該分割点マーク７２がユーザによってダブルクリックされたことを検出すると、次のステップＳＰ２２に移る。
【００７４】
ステップＳＰ２２において、表示領域拡大手段としてのＣＰＵ１１は、モニタ３に分割点詳細編集画面９０を表示して次のステップＳＰ２３に移る。
【００７５】
ステップＳＰ２３においてＣＰＵ１１は、ユーザによって分割点マーク７２がドラッグアンドドロップされたか否かを判定し、当該分割点マーク７２がドラッグアンドドロップされたことを検出すると、次のステップＳＰ２４に移る。
【００７６】
ステップＳＰ２４においてＣＰＵ１１は、ユーザによるドラッグアンドドロップ操作に応じて分割点マーク７２を移動表示するとともに、当該分割点マーク７２の前のトラックの終了時間及び後のトラックの開始時間を変更して、ステップＳＰ３１に移る。
【００７７】
これに対してステップＳＰ２３において、ユーザによる分割点マーク７２のドラッグアンドドロップ操作が検出されなかった場合、ＣＰＵ１１はステップＳＰ２５に移る。
【００７８】
ステップＳＰ２５においてＣＰＵ１１は、ユーザによって分割点マーク拡大表示領域９１内がダブルクリックされたか否かを判定し、当該分割点マーク拡大表示領域９１内がダブルクリックされたことを検出すると、次のステップＳＰ２６に移る。
【００７９】
ステップＳＰ２６においてＣＰＵ１１は、新たな分割点マーク７２Ａを分割点マーク拡大表示領域９１におけるダブルクリックされた位置に表示して、次のステップＳＰ２７に移る。
【００８０】
ステップＳＰ２７においてＣＰＵ１１は、新たな分割点マーク７２Ａと既存の分割点マーク７２Ｂとの時間間隔ΔＴが、分割点間隔下限値Ｔｍｉｍ未満であるか否かを判定する。
【００８１】
ステップＳＰ２７において、時間間隔ΔＴが分割点間隔下限値Ｔｍｉｍ未満ではない場合、ＣＰＵ１１は新たな分割点マーク７２Ａを表示したまま、ステップＳＰ３１に移る。これに対してステップＳＰ２７において、時間間隔ΔＴが分割点間隔下限値Ｔｍｉｍ未満である場合、ＣＰＵ１１は次のステップＳＰ２８に移る。
【００８２】
ステップＳＰ２８においてＣＰＵ１１は、新たな分割点マーク７２Ａと既存の分割点マーク７２Ｂのうち、後の分割点マークを消去してステップＳＰ３１に移る。
【００８３】
一方ステップＳＰ２５において、分割点マーク拡大表示領域９１内がダブルクリックされたことを検出しない場合、ＣＰＵ１１はステップＳＰ２９に移る。
【００８４】
ステップＳＰ２９においてＣＰＵ１１は、ユーザによって「次のマークへ移動」ボタン９８又は「前のマークへ移動」ボタン９９がクリックされたか否かを判定し、これら２つの移動ボタン９８又は９９のいずれかがクリックされたことを検出すると、次のステップＳＰ３０に移る。ステップＳＰ３０においてＣＰＵ１１は、クリックされた移動ボタン９８又は９９に応じた前又は後ろの分割点マーク７２を表示し、ステップＳＰ３１に移る。
【００８５】
これに対してステップＳＰ２９において、２つの移動ボタン９８又は９９のいずれかがクリックされたことを検出しない場合、ＣＰＵ１１はステップＳＰ３１に移る。
【００８６】
そして、ステップＳＰ３１においてＣＰＵ１１は、ユーザによって「ＯＫ」ボタン１００がクリックされたか否かを判定し、当該「ＯＫ」ボタン１００がクリックされたことを検出しない場合、ステップＳＰ２３に戻って再度ステップＳＰ２３〜ステップＳＰ３１を繰り返す。
【００８７】
これに対して、ステップＳＰ３１において「ＯＫ」ボタン１００がクリックされたことを検出した場合、ＣＰＵ１１は次のステップＳＰ３２に移り、分割点詳細編集画面９０を消去して表示を終了し、次のステップＳＰ３３に移って、分割点詳細編集画面表示処理手順を終了する。
【００８８】
（４）動作及び効果
以上の構成において、パーソナルコンピュータ１のＣＰＵ１１は、トラックパネル７０上で分割点マーク７２がダブルクリックされると、当該分割点マーク７２の前後を時間的に拡大表示する分割点詳細編集画面９０を、トラックパネル７０にオーバーラップ表示する。
【００８９】
そしてＣＰＵ１１は、分割点詳細編集画面９０上におけるユーザによる分割点マーク７２のドラッグアンドドロップ操作に応じて、当該分割点マーク７２を前後に移動表示するとともに、トラックの分割位置を変更する。
【００９０】
ここで、分割点詳細編集画面９０は分割点マーク７２の前後を時間的に拡大表示していることにより、ユーザは当該分割点詳細編集画面９０上でトラックの分割位置をより精密かつ容易に微調整することができる。
【００９１】
またＣＰＵ１１は、ユーザによる分割点マーク拡大表示領域９１に対するクリック操作に応じて新たな分割点マーク７２Ａを付加し、当該新たな分割点マーク７２Ａの位置でトラックを再分割する。
【００９２】
このときＣＰＵ１１は、新たな分割点マーク７２Ａと既存の分割点マーク７２Ｂとの時間間隔ΔＴと、所定の分割点間隔下限値Ｔｍｉｍとを比較し、時間間隔ΔＴが分割点間隔下限値Ｔｍｉｍ未満の場合、時間的に後の分割点マークを消去して時間的に前の分割点マークに統合することにより、既存の分割点マーク７２Ｂに対して極端に近接した新たな分割点マーク７２Ａが付加されることを防止し、無意味な短いトラックを分割生成してしまうことを防止する。
【００９３】
さらにＣＰＵ１１は、ユーザによる「次のマークへ移動」ボタン９８又は「前のマークへ移動」ボタン９９に対するクリック操作に応じて、次又は前の分割点マーク７２を表示する。
【００９４】
これによりユーザは、「次のマークへ移動」ボタン９８又は「前のマークへ移動」ボタン９９をクリックするだけで、一連の分割点マーク７２を順次表示して容易に微調整することができる。
【００９５】
以上の構成によれば、ユーザはトラックパネル７０上の分割点マーク７２をダブルクリックするだけで、分割点マーク７２の前後を時間的に拡大表示した分割点詳細編集画面９０を表示させることができ、当該分割点詳細編集画面９０を用いて、一連の分割点マーク７２を順次表示してトラックの分割位置を容易に微調整することができるとともに、無意味な短いトラックを生成してしまうことを防止することができる。
【００９６】
（５）他の実施の形態
なお上述の実施の形態においては、音声データを編集するための録音編集管理プログラムに本発明を適用した場合について述べたが、本発明はこれに限らず、映像データを編集するための映像編集管理プログラムに本発明を適用することもできる。
【００９７】
また上述の実施の形態においては、ハードディスクドライブ１９に予め格納された録音編集管理プログラムを分割点表示子表示手段及び表示領域拡大手段としてのＣＰＵ１１が読み出して実行することにより、上述の分割点詳細編集画面表示処理手順を実行するようにしたが、本発明はこれに限らず、録音編集管理プログラムが格納されたプログラム格納媒体をパソコン本体２にインストールすることにより、分割点詳細編集画面表示処理手順を実行するようにしてもよい。
【００９８】
【発明の効果】
上述のように本発明によれば、分割点表示子に対する指定操作に応じて、指定された分割点表示子及びその前後の所定範囲の分割点表示子表示領域を拡大表示するとともに、表示子指定操作に応じて時間的に次又は前の分割点表示子及びその前後の所定範囲の分割点表示子表示領域を拡大表示するようにしたことにより、簡易な操作で容易に音声データの編集を行い得る音声データ編集装置を実現できる。
【００９９】
また、新たな分割点表示子と既存の分割点表示子との間隔が所定の間隔下限値未満の場合、新たな分割点表示子及び既存の分割点表示子の一方を消去するようにしたことにより、極端に近接した新たな分割点表示子が付加されることを防止して、無意味な短いトラックを分割生成してしまうことを防止できる。
【図面の簡単な説明】
【図１】パーソナルコンピュータの全体構成を示す略線図である。
【図２】パソコン本体の構成を示すブロック図である。
【図３】録音編集管理プログラムの構成を示すブロック図である。
【図４】プロジェクトファイルの記述例である。
【図５】プロジェクトファイルで用いられるタグを示す表である。
【図６】録音編集管理処理手順を示すフローチャートである。
【図７】オープニング画面を示す略線図である。
【図８】入力選択画面を示す略線図である。
【図９】録音編集画面を示す略線図である。
【図１０】トラックパネルの構成を示す略線図である。
【図１１】トラックの分割の様子を示す略線図である。
【図１２】分割位置確定後のトラックパネルを示す略線図である。
【図１３】出力選択画面を示す略線図である。
【図１４】分割位置詳細編集画面の構成を示す略線図である。
【図１５】分割点マークの統合の様子を示す略線図である。
【図１６】分割位置詳細編集画面表示処理手順を示すフローチャートである。
【符号の説明】
１……パーソナルコンピュータ、２……パソコン本体、３……モニタ、４……キーボード、５……マウス、６……マイクロホン、７……ライン入力ケーブル、８……スピーカ、９……ＵＳＢオーディオデバイス、１０……モデム、１１……ＣＰＵ、１２……メモリ、１７……オーディオインターフェース、１８……ＵＳＢインターフェース、１９……ハードディスクドライブ、２０……ＣＤ−ＲＷドライブ。
【図１】
2004318963.tif 000003
【図２】
2004318963.tif 000004
【図３】
2004318963.tif 000005
【図４】
2004318963.tif 000006
【図５】
2004318963.tif 000007
【図６】
2004318963.tif 000008
【図７】
2004318963.tif 000009
【図８】
2004318963.tif 000010
【図９】
2004318963.tif 000011
【図１０】
2004318963.tif 000012
【図１１】
2004318963.tif 000013
【図１２】
2004318963.tif 000014
【図１３】
2004318963.tif 000015
【図１４】
2004318963.tif 000016
【図１５】
2004318963.tif 000017
【図１６】
2004318963.tif 000018